(57)【要約】【課題】原価計算をしながら食品添加物の一覧も表示できる食品添加物表示及び原価計算システムを提供する。【解決手段】食品添加物表示及び原価計算システムは、原材料名などを含む原材料情報を記憶する原材料情報記憶手段２１と、食品添加物の選定名などを含む添加物情報を記憶する添加物情報記憶手段２２と、メニュー名やメニューに使用する原材料名などを入力できる入力手段３と、メニューの予定原価と原材料の原価とから算出した差額を表示する表示手段４と、食品添加物を選定名に書き換えて選定名情報として記憶する選定名情報記憶手段２３と、入力したメニューにおける食品添加物の選定名が重複するものを一つに集約した添加物集約情報を記憶する集約情報記憶手段２４と、メニューに含まれる食品添加物の選定名を表示する表示手段４と、を備えたことを特徴とする。【選択図】図１
2018063577.tif 000002
【特許請求の範囲】
【請求項１】
原材料名と、該原材料の原価と、該原材料に含まれる食品添加物名と、を含む原材料情報を記憶する原材料情報記憶手段と、
食品添加物の正式名称と、該食品添加物の正式名称に対応する別名、簡略名類別名と、前記正式名称、前記別名、前記簡略名、前記類別名のいずれかから選定された選定名と、を含む添加物情報を記憶する添加物情報記憶手段と、
メニュー名と、該メニューに使用する原材料名と、該使用する原材料の使用量と、該メニューの予定売価と、該メニューの値入率と、を入力できる入力手段と、
入力したメニューの予定売価及び値入率から算出したメニューの予定原価と、入力したメニューに使用する原材料名を原材料情報記憶手段に照合し、原材料の原価を読み込み、メニューの予定原価と原材料の原価とから算出した差額を表示する表示手段と、
入力したメニューに使用する原材料に含まれる食品添加物を前記原材料情報記憶手段から読み込み、読み込まれた食品添加物名を前記添加物情報と照合し、食品添加物名を選定名に書き換えて選定名情報として記憶する選定名情報記憶手段と、
入力したメニューにおける食品添加物の選定名が重複するものを一つに集約した添加物集約情報を記憶する集約情報記憶手段と、
添加物集約情報を読み込み、入力したメニューに含まれる食品添加物の選定名を表示する表示手段と、
を備えた、食品添加物表示及び原価計算システム。
【請求項２】
原材料名と、該原材料の原価と、該原材料に含まれる食品添加物名と、を含む原材料情報を記憶し、
食品添加物の正式名称と、該食品添加物の正式名称に対応する別名、簡略名類別名と、前記正式名称、前記別名、前記簡略名、前記類別名のいずれかから選定された選定名と、を含む添加物情報を記憶し、
メニュー名と、該メニューに使用する原材料名と、使用する原材料の使用量と、該メニューの予定売価と、該メニューの値入率と、を入力し、
入力したメニューの予定売価及び値入率から算出したメニューの予定原価と、入力したメニューに使用する原材料名を原材料情報記憶手段に照合し、原材料の原価を読み込み、メニューの予定原価と原材料の原価とから算出した差額を表示し、
入力したメニューに使用する原材料に含まれる食品添加物を前記原材料情報記憶手段から読み込み、読み込まれた食品添加物名を前記添加物情報と照合し、食品添加物を選定名に書き換えて選定名情報として記憶し、
入力したメニューにおける食品添加物の選定名が重複するものを一つに集約した添加物集約情報を記憶し、
添加物集約情報から読み込み、入力したメニューに含まれる食品添加物の選定名を表示する、
食品添加物表示及び原価計算方法。
【請求項３】
食品添加物表示及び原価計算システムに搭載されるコンピュータを、
原材料名と、該原材料の原価と、該原材料に含まれる食品添加物名と、を含む原材料情報を記憶する原材料情報記憶手段と、
食品添加物名の正式名称と、該食品添加物の正式名称に対応する別名、簡略名、類別名と、前記正式名称、前記別名、前記簡略名、前記類別名のいずれかから選定された選定名と、を含む添加物情報を記憶する添加物情報記憶手段と、
メニュー名と、該メニューに使用する原材料と、該使用する原材料の使用量と、該メニューの予定売価と、該メニューの値入率と、を入力できる入力手段と、
入力したメニューの予定売価及び値入率から算出したメニューの予定原価と、入力したメニューに使用する原材料を原材料情報記憶手段に照合し、原材料の原価を読み込み、メニューの予定原価と原材料の原価とから算出した差額を表示する表示手段と、
入力したメニューに使用する原材料に含まれる食品添加物を前記原材料情報記憶手段から読み込み、読み込まれた食品添加物名を前記添加物情報と照合し、食品添加物を選定名に書き換えて選定名情報として記憶する選定名情報記憶手段と、
入力したメニューに含まれる食品添加物の選定名が重複するものを一つに集約した添加物集約情報を記憶する集約情報記憶手段と、
添加物集約情報から読み込み、入力したメニューに含まれる食品添加物の選定名を表示する表示手段と、
して機能させることを特徴とする、食品添加物表示及び原価計算プログラム。
【発明の詳細な説明】
【技術分野】
【０００１】
本発明は、複数の食材が盛られた弁当や惣菜などの食品の原価を計算しながら、その食品に含まれる食品添加物を表示できるシステムに関する。
【背景技術】
【０００２】
百貨店、スーパー、コンビニエンスストアなどの小売店では、複数の食材が盛られた弁当や惣菜などが販売されている。弁当や惣菜を販売するにあたり原価の計算が行われている。また、これらの容器には、商品名、価格、製造年月日、食品添加物などが印字されたラベルが貼付されている。
盛り付ける食材が増えれば、食品添加物も増えていき、ラベルを作成するのに手間がかかり、また、表記間違いも多くなる。
【０００３】
そこで、商品に含まれる食品添加物の名称を印字部でラベルに印字するラベルプリンタであって、前記商品に含まれる食品添加物の設定操作を行なう操作入力部と、前記ラベルの印字に関する画面表示を行う表示部と、複数の食品添加物の少なくとも名称を記憶する記憶部と、前記印字部により前記商品のラベルを印字する処理を行う制御部と、を有し、前記制御部は、前記記憶部に記憶された前記商品に関連する食品添加物の名称を複数読み出し、前記食品添加物の名称と対応する該食品添加物の重量を設定するための入力欄とを関連付けて前記表示部に表示し、前記操作入力部の操作に基づいて、前記表示部に表示された複数の食品添加物のうち前記重量が設定された前記入力欄の食品添加物の重量と名称を前記商品の添加物として設定記憶することを特徴とするラベルプリンタが開発され、このラベルプリンタは、短時間に、食品添加物の名称や重量を設定し、且つ、設定ミスを防止することができるものである（下記特許文献１参照）。
【０００４】
【特許文献１】特許第５９２８１９４号公報
【発明の概要】
【発明が解決しようとする課題】
【０００５】
しかし、食品添加物の表記は、慣れた人でないと分かりづらいものがある。
例えば、食品添加物は、同一物質でも違う名称のものが存在する。クルクミン、ターメリック色素、ウコンなどは、名称は異なるが、同一物質である。ハンバーグではクルクミン、コロッケではターメリック色素と表示されており、食材としてハンバーグとコロッケとを用いた場合、食品添加物のラベルを作成する際に、これらは同じ物資であるにもかかわらず、併記して表記してしまうことがある。
図１２には、一部の添加物の正式名称（添加物名欄）と、それの別名及び簡略名が示されており、このように数種類の呼び名が存在する添加物は数多くある。
【０００６】
また、長い名称の食品添加物もあり、ラベルの表記の字数制限を超えてしまうこともあった。
このように、食品添加物の表記に不慣れな人には分かりづらいものがあり、ラベルを作成するのは容易ではない。
【０００７】
そこで、本発明の目的は、複数の食材が盛られた弁当や惣菜などの食品を作成するにあたり、原価計算をしながら食品添加物の一覧も表示できる食品添加物表示及び原価計算システムを提供することにある。
【課題を解決するための手段】
【０００８】
本発明の一実施形態の食品添加物表示及び原価計算システムは、原材料名と、該原材料の原価と、該原材料に含まれる食品添加物名と、を含む原材料情報を記憶する原材料情報記憶手段と、食品添加物の正式名称と、該食品添加物の正式名称に対応する別名、簡略名、類別名と、前記正式名称、前記別名、前記簡略名、前記類別名のいずれかから選定された選定名と、を含む添加物情報を記憶する添加物情報記憶手段と、メニュー名と、該メニューに使用する原材料名と、該使用する原材料の使用量と、該メニューの予定売価と、該メニューの値入率と、を入力できる入力手段と、入力したメニューの予定売価及び値入率から算出したメニューの予定原価と、入力したメニューに使用する原材料名を原材料情報記憶手段に照合し、原材料の原価を読み込み、メニューの予定原価と原材料の原価とから算出した差額を表示する表示手段と、入力したメニューに使用する原材料に含まれる食品添加物を前記原材料情報記憶手段から読み込み、読み込まれた食品添加物名を前記添加物情報と照合し、食品添加物名を選定名に書き換えて選定名情報として記憶する選定名情報記憶手段と、入力したメニューにおける食品添加物の選定名が重複するものを一つに集約した添加物集約情報を記憶する集約情報記憶手段と、添加物集約情報を読み込み、入力したメニューに含まれる食品添加物の選定名を表示する表示手段と、を備えた、ことを特徴とする。
【０００９】
また、本発明の一実施形態の食品添加物表示及び原価計算方法は、原材料名と、該原材料の原価と、該原材料に含まれる食品添加物名と、を含む原材料情報を記憶し、食品添加物の正式名称と、該食品添加物の正式名称に対応する別名、簡略名、類別名と、前記正式名称、前記別名、前記簡略名、前記類別名のいずれかから選定された選定名と、を含む添加物情報を記憶し、メニュー名と、該メニューに使用する原材料名と、使用する原材料の使用量と、該メニューの予定売価と、該メニューの値入率と、を入力し、入力したメニューの予定売価及び値入率から算出したメニューの予定原価と、入力したメニューに使用する原材料名を原材料情報記憶手段に照合し、原材料の原価を読み込み、メニューの予定原価と原材料の原価とから算出した差額を表示し、入力したメニューに使用する原材料に含まれる食品添加物を前記原材料情報記憶手段から読み込み、読み込まれた食品添加物名を前記添加物情報と照合し、食品添加物名を選定名に書き換えて選定名情報として記憶し、入力したメニューにおける食品添加物の選定名が重複するものを一つに集約した添加物集約情報を記憶し、添加物集約情報から読み込み、入力したメニューに含まれる食品添加物の選定名を表示することを特徴とする。
【００１０】
さらに、本発明の一実施形態の食品添加物表示及び原価計算プログラムは、食品添加物表示及び原価計算システムに搭載されるコンピュータを、原材料名と、該原材料の原価と、該原材料に含まれる食品添加物名と、を含む原材料情報を記憶する原材料情報記憶手段と、食品添加物の正式名称と、該食品添加物の正式名称と対応する別名、簡略名、類別名と、前記正式名称、前記別名、前記簡略名、前記類別名のいずれかから選定された選定名と、を含む添加物情報を記憶する添加物情報記憶手段と、メニュー名と、該メニューに使用する原材料と、該使用する原材料の使用量と、該メニューの予定売価と、該メニューの値入率と、を入力できる入力手段と、入力したメニューの予定売価及び値入率から算出したメニューの予定原価と、入力したメニューに使用する原材料を原材料情報記憶手段に照合し、原材料の原価を読み込み、メニューの予定原価と原材料の原価とから算出した差額を表示する表示手段と、入力したメニューに使用する原材料に含まれる食品添加物を前記原材料情報記憶手段から読み込み、読み込まれた食品添加物名を前記添加物情報と照合し、食品添加物名を選定名に書き換えて選定名情報として記憶する選定名情報記憶手段と、入力したメニューに含まれる食品添加物の選定名が重複するものを一つに集約した添加物集約情報を記憶する集約情報記憶手段と、添加物集約情報から読み込み、入力したメニューに含まれる食品添加物の選定名を表示する表示手段と、して機能させることを特徴とする。
【００１１】
上記実施形態の食品添加物表示及び原価計算システム及び方法は、複数の食材を盛り付ける弁当や惣菜などの食品において、原価計算をしながら食品添加物も表示することができ、しかも、名称が異なるが同一物質である食品添加物が存在する場合、重複表記を解消でき、予め選定された分かりやすい表記で表示することができる。選定名を、もっとも文字数の少ない表記を選択すれば、食品添加物の表記全体の文字数を少なくすることができる。
【図面の簡単な説明】
【００１２】
【図１】本発明の一実施形態の食品添加物表示及び原価計算システムの構成例を示した図である。
【図２】図１のシステムに用いる原材料入力画面の一例を示した図である。
【図３】図１のシステムに用いる添加物入力画面の一例を示した図である。
【図４】図１のシステムに用いる原価情報入力・原価計算画面の一例を示した図である。
【図５】図１のシステムを用いて作成されたリストの一例を示した図である。
【図６】図１のシステムにおける原材料情報記憶マスタに記憶されたデータの一例を示す図である。
【図７】図１のシステムにおける添加物情報記憶マスタに記憶されたデータの一例を示す図である。
【図８】図１のシステムにおける添加物情報記憶マスタに記憶されたデータの他例を示す図である。
【図９】図１のシステムにおける選定名情報記憶マスタに記憶されたデータの一例を示す図である。
【図１０】図１のシステムにおける集約情報記憶マスタに記憶されたデータの一例を示す図である。
【図１１】図１のシステムを用いて作成されたラベル形式の一例を示した図である。
【図１２】一部の添加物の正式名称と、その別名及び簡略名を表記した一覧表である。
【発明を実施するための形態】
【００１３】
以下、本発明の一実施形態を、図面に基づいて説明する。
【００１４】
本発明の一実施形態の食品添加物表示及び原価計算システムは、複数の食材、例えば、ハンバーグ、コロッケ、とんかつ、から揚げ、サラダ、漬物などを盛り付けられた弁当や惣菜などの食品の原価計算をしながら食品添加物の表示もできるものである。
食品添加物の表示は、包装用容器に貼付するラベルとして印刷することができる。ラベルには、食品添加物の他、製品名（幕の内弁当など）、原材料名、アレルギー、栄養成分、価格、製造年月日時、消費期限なども表記することもできる。
【００１５】
本発明の一実施形態の食品添加物表示及び原価計算システムは、図１に示すように、ＣＰＵなどからなる中央処理部１、ハードディスクなどからなる記憶部２、キーボードなどからなる入力手段３、モニタなどの表示手段４を備えてなる。中央処理部１は、制御プログラムなどを格納する内部メモリを有し、記憶部２に格納された処理プログラムに従って全体の処理を実行するものである。
【００１６】
食品添加物表示及び原価計算システムを実行するための記憶部２に格納された処理プログラムとしては、食品添加物表示及び原価計算システムに搭載されるコンピュータを、原材料名と、該原材料の原価と、該原材料に含まれる食品添加物と、を含む原材料情報を記憶する原材料情報記憶手段と、食品添加物の正式名称と、該食品添加物の正式名称に対応する別名、簡略名、類別名と、前記正式名称、前記簡略名、前記類別名のいずれかから選定された選定名と、を含む添加物情報を記憶する添加物情報記憶手段と、メニュー名と、該メニューに使用する原材料と、該使用する原材料の数量と、該メニューの予定売価と、該メニューの値入率と、を入力できる入力手段と、入力したメニューの予定売価及び値入率から算出したメニューの予定原価と、入力したメニューに使用する原材料を原材料情報記憶手段に照合し、原材料の原価を読み込み、メニューの予定原価と原材料の原価とから算出した差額を表示する表示手段と、入力したメニューに使用する原材料に含まれる食品添加物を前記原材料情報記憶手段から読み込み、読み込まれた食品添加物名を前記添加物情報と照合し、食品添加物名を選定名に書き換えて選定名情報として記憶する選定名情報記憶手段と、入力したメニューに含まれる食品添加物の選定名が重複するものを一つに集約した添加物集約情報を記憶する集約情報記憶手段と、添加物集約情報から読み込み、入力したメニューに含まれる食品添加物の選定名を表示する表示手段と、して機能させるプログラムなどがある。
【００１７】
記憶部２は、原材料名と、該原材料の原価と、該原材料に含まれる食品添加物名と、を含む原材料情報を記憶する原材料情報記憶マスタ２１と、食品添加物名と、該食品添加物の正式名称に対応する別名、簡略名、類別名と、前記正式名称、前記簡略名、前記類別名のいずれかから選定された選定名と、を含む添加物情報を記憶する添加物情報記憶マスタ２２と、入力したメニューに使用する原材料に含まれる食品添加物を前記原材料情報記憶手段から読み込み、読み込まれた食品添加物名を前記添加物情報と照合し、食品添加物を選定名に書き換えて選定名情報として記憶する選定名情報記憶マスタ２３と、入力したメニューにおける食品添加物の選定名が重複するものを一つに集約した添加物集約情報を記憶する集約情報記憶マスタ２４と、を少なくとも備える。選定名情報記憶マスタ２３又は集約情報記憶マスタ２４は、記憶された情報を出力し、任意のリストへと転記することができる。
【００１８】
入力手段３は、作成するメニューと、メニューに使用する原材料と、使用する原材料の使用量と、メニューの予定売価と、メニューの値入率と、を少なくとも入力できるものである。入力手段３としては、キーボード、マウスやタッチペンなどを用いることができる。
【００１９】
表示手段４は、メニューの予定売価、メニューの値入率、メニューの原価、メニューの予定売価と原材料の原価との差額、やメニューに含まれる食品添加物の簡略名などを表示できるものである。表示手段４としては、液晶などのモニタなどを用いることができ、タッチパネルなどとしてもよい。
【００２０】
また、必要に応じて印刷手段５を設けることができる、食品の包装用容器に貼付するラベルなどを印刷することができる。印刷手段５としては、プリンタなどを用いることができる。
中央処理部１、記憶部２、入力手段３、表示手段４としては、例えば、市販のパーソナルコンピュータを用いることができる。また、中央処理部１、記憶部２、入力手段３、表示手段４、印刷手段５を一体として形成した装置とすることもできる。
【００２１】
本実施形態の食品添加物表示及び原価計算システムの流れの概略の一例を説明する。
【００２２】
まず、本システムを使用するにあたり、原材料名、その原材料の原価、その原材料に含まれる食品添加物などの原材料情報を原材料情報記憶マスタ２１に記憶させる。
本実施形態では、本システムの使用者は、モニタなどの表示手段４に、図２に示すような原材料入力画面６を表示させ、キーボードなどの入力手段３により、盛り付ける食材の原材料名、その原材料の原価、その原材料に含まれる食品添加物などを入力し、原材料情報記憶マスタ２１に記憶させる。
【００２３】
例えば、原材料として「とんかつ」を入力する場合を以下に示す。
「とんかつ」は、原価５００円で、ヒレカツ３５ｇが１袋あたり１０枚入りとする。この場合、図２に示すように、原材料名欄６ａに「とんかつ」、原材料の原価として単位原価欄６ｂに「５００」（円）と入力する。また、実質量欄６ｃに「１０」と入力し、単位欄６ｄにおいて「枚」を選択する。
本実施形態では、この他にも、原材料の分類、詳細、重量(g)、仕入先名、エネルギー(kcal)、たんぱく質(g)、脂質(g)、炭水化物(g)、ナトリウム(ｍg)、食塩相当量(g)、飽和脂肪酸(g)、食物繊維(g)などを入力することができるようにしてある。
【００２４】
次に、「とんかつ」に含まれる食品添加物を入力する。
本実施形態では、原材料入力画面６の「添加物」ボタン６ｅをクリックすることにより、図３に示すような添加物入力画面７に移行できるようにしてある。添加物入力画面７には、添加物情報記憶マスタ２２に予め記憶されている食品添加物名の一覧及びその用途が表示される添加物表示欄７ａが設けてあり、その中から「とんかつ」に含まれる食品添加物を選択してクリックし、クリックされたものが抽出され、添加物選択欄７ｂに表示される。
図３には、添加物選択欄７ｂに食品添加物として「調味料（アミノ酸等）」、「リン酸Ｎａ」、「着色料（ターメリック）」などを選択した場合が例示されている。
添加物入力画面７には、アレルギー物質を選択して抽出するアレルギー物質選択欄７ｃを設けることもできる。アレルギー物質としては、牛肉、くるみ、ごま、さけ、さば、大豆、鶏肉、バナナ、豚肉などを表示できるようにしてある。また、添加物の重量登録欄７ｅを設けることもでき、含まれる食品添加物の重量を入力できるようにしてある。
【００２５】
「とんかつ」に含まれる食品添加物の全てを選択して添加物選択欄７ｂに抽出したら、画面７の「確定」ボタン７ｄをクリックことにより、添加物入力画面７が表示手段４から消去し、再び原材料入力画面６が表れる。そして、原材料入力画面６の「登録」ボタンをクリックすることにより、原材料名、その原材料の原価、その原材料に含まれる食品添加物などを含む原材料情報が原材料情報記憶マスタ２１に記憶される。
このようにして、他の原材料、例えば、ハンバーグ、コロッケ、チキン南蛮、唐揚、シューマイ、玉子焼き、餃子、ポテトサラダ、ウィンナーなどについても入力し、各原材料情報を原材料情報記憶マスタ２１に記憶させる。
【００２６】
その後、本システムを用いて原価計算するには、図４に示すような原価情報入力・原価計算画面８を表示手段４に表示させ、メニュー名、そのメニューの予定売価、そのメニューの値入率、メニューに使用する原材料、その原材料の使用量などを入力する。
例えば、予定売価４８０円で値入率が５０％の「シーピー特製弁当」を作成する場合、メニュー名欄８ａに「シーピー特製弁当」、予定売価（税抜）欄８ｂに「４８０」（円）、予定値入率欄８ｃに「５０」（％）と入力手段３を用いて入力する。そして、予定原価欄８ｄには、予定売価と値入率から計算されたメニューの原価が表示される。上記例では、予定売価と値入率とを掛け合せた値から、「２４０」（円）として表示される。
【００２７】
そして、メニューに使用する原材料を選択する。
例えば、原材料名欄８ｅをクリックし、原材料情報記憶マスタ２１に記憶された原材料名の一覧がプルダウン表示され、その中からメニューに使用する原材料を選択する。
【００２８】
使用量欄８ｆには、その原材料の使用量を入力する。使用量には、例えば、０．５（個）、１（個）、２（個）、・・・などと入力する他、３等分して、そのうちの１個を使用する場合は、１／３（個）と入力し、３等分して、その３個を使用する場合は、３／３（個）と入力する。
図４には、原材料として「ハンバーグ」を選択し、その使用量を「３／３」（個）、原材料として「コロッケ」を選択し、その使用量を「１／３」（個）、原材料として「シューマイ」を選択し、その使用量を「１」（個）とした場合が例示されている。
【００２９】
使用する原材料を選択し、その使用量を入力して「登録」ボタン８ｇをクリックすると、原価情報入力・原価計算画面８の原材料表示欄８ｈに、原材料名とともにその原材料の使用原価などが表示される。使用原価は、原材料の原価を原材料情報記憶マスタ２１から読み込み、それに入力した使用量を掛け合せることにより算出することができる。
原材料表示欄８ｈから選択した原材料を削除する場合は、「削除」ボタン８ｉをクリックする。
このようにして、使用する原材料を原材料表示欄８ｈに登録していくと、原材料表示欄８ｈに表示された原材料の各使用原価を合算した使用原価合計が使用原価合計欄８ｊに表示され、予定原価までの差額が「予定原価まで」欄８ｋに表示される。
【００３０】
このようにして、差額が「０」に近づくようにすることにより、予定売価及び値入率に近い「シーピー特製弁当」のメニューを作成することができる。
また、原価情報入力・原価計算画面８には、栄養成分表示欄８ｍが設けることができ、栄養成分表示欄８ｍには、メニューのエネルギー量や各栄養成分の含有量が表示されるため、この値を目安に低カロリーなメニューを作成することもできる。
【００３１】
作成したメニューの一覧を、図５に示すようなリスト９として表示することができる。本実施形態では、原価情報入力・原価計算画面８の「一覧変換」ボタン８Ｌをクリックすると、リスト９が表示されるようにしてある。
リスト９には、原材料名の他、各原材料の使用量、原価、重量などが表示され、添加物欄９ａには、このメニューに含まれる添加物の一覧が表示される。また、栄養成分、アレルギー一覧も表示することができる。この際、食品添加物の選定名が表示され、また、重複する食品添加物は一つに集約されて表示される。
リスト９から包装用容器などに貼付するラベルを作成でき、ラベル作成の基となる一覧は、リスト９を表示する画面の「ＣＳＶ変換」ボタンをクリックすることで行うことができ、該画面の「転記」ボタンをクリックすることで、任意のリストの出力ができる。
【００３２】
以下、本システムにおけるリストの添加物欄の作成例を示す。
例えば、原材料として「ハンバーグ」、「コロッケ」、「とんかつ」などを選択した場合、リストの添加物欄には以下のようにして食品添加物が表示される。
「ハンバーグ」には、食品添加物としてクルクミンが含まれ、「コロッケ」には、食品添加物としてターメリック色素が含まれ、「とんかつ」には、食品添加物としてウコンが含まれており、これら食品添加物の名称は異なるが同一物質である。
【００３３】
原材料情報記憶マスタ２１には、例えば、原材料情報として、図６に示すように、原材料名とそれに含まれる食品添加物名などが記憶されている。
添加物情報記憶マスタ２２には、例えば、添加物情報として、図７に示すように、現在知られているあらゆる食品添加物の正式名称（図７では添加物名欄に記載）とその別名、簡略名、類別名、用途などが記憶されている。本システムにおいて、食品添加物名として表記する選定名は、図７において、システム使用名称欄に示されている。選定名は、特に限定するものではないが、予め選定しておき添加物情報記憶マスタ２２に記憶させておくことや、システム管理者又はシステム利用者などが選定して添加物情報記憶マスタ２２に記憶させておくことができる。例えば、選定名として類別名を選定するかをシステム管理者又はシステム利用者などが選択できるようにしてもよい。
選定名としては、特に限定するものではないが、正式名称、別名、簡略名、類別名のなかからもっとも短い名称を選んだり、使い慣れている名称を選んだりすることができる。
【００３４】
メニューに原材料として「ハンバーグ」、「コロッケ」、「とんかつ」を使用する場合は、食品添加物として、クルクミン、ターメリック色素、ウコンを含むことになる。
これら食品添加物を、添加物情報記憶マスタ２２の添加物情報と照合すると、図８に示すように、クルクミン、ターメリック色素、ウコンの選定名は、いずれもウコンである。
【００３５】
選定名情報記憶マスタ２３には、例えば、選定名情報として、図９に示すように、原材料とそれに含まれる食品添加物の選定名などを含む選定名情報が記憶される。この場合、原材料情報から選択された「ハンバーグ」、「コロッケ」、「とんかつ」にそれぞれ含まれるクルクミン、ターメリック色素、ウコンを、ウコンに書き換えて記憶される。
【００３６】
集約情報マスタ２４には、例えば、添加物集約情報として、図１０に示すように、選定名情報の食品添加物の選定名が重複するものを一つに集約した添加物集約情報が記憶される。この場合、図８に示す選定名情報では、ウコンが重複するので、ウコンと一つに集約されて記憶される。
【００３７】
リストを表示する場合は、添加物集約情報から読み込み、食品添加物の選定名をモニタなどの表示手段３に表示させることができる。
また、メニューに原材料として「ハンバーグ」、「コロッケ」、「とんかつ」を使用する場合は、食品添加物として、クルクミン、ターメリック色素、ウコンを含むことになるが、これらの選定名はウコンであるので、これらはまとめてウコンと一つに集約されて表示される。
【００３８】
例えば、リスト９の書式を整えてラベル形式にし、印刷手段５などを用いれば、図１１に示すようなラベル１０を印刷することができる、これにより包装用容器などに貼付するラベルを作成することができる。
【００３９】
このように、食品添加物表示及び原価計算システムは、原価計算すると同時に、食品添加物名を選定名に変換し、重複するものを集約したラベルなどを作成できるので、複数の食材を盛り付ける弁当などにおいて、名称が異なるが同一物質である食品添加物が存在する場合、重複表記を解消できる。選定名を文字数が最も少ない表記とすれば、食品添加物の表記全体の文字数を少なくすることができるものである。さらに、アレルギーと栄養成分などの表記もすることができる。
【００４０】
上記実施形態の構成態様は、本発明を限定するものとして挙げたものではなく、技術目的を共通にするかぎり変更は可能であり、本発明はそのような変更を含むものである。
【符号の説明】
【００４１】
１中央処理部
２記憶部
２１原材料情報記憶マスタ
２２添加物情報記憶マスタ
２３選定名情報記憶マスタ
２４集約情報記憶マスタ
３入力手段
４表示手段
５印刷手段
【図１】
2018063577.tif 000003
【図２】
2018063577.tif 000004
【図３】
2018063577.tif 000005
【図４】
2018063577.tif 000006
【図５】
2018063577.tif 000007
【図６】
2018063577.tif 000008
【図７】
2018063577.tif 000009
【図８】
2018063577.tif 000010
【図９】
2018063577.tif 000011
【図１０】
2018063577.tif 000012
【図１１】
2018063577.tif 000013
【図１２】
2018063577.tif 000014
【手続補正書】
【提出日】平成29年2月10日(2017.2.10)
【手続補正１】
【補正対象書類名】特許請求の範囲
【補正対象項目名】請求項２
【補正方法】変更
【補正の内容】
【請求項２】
コンピュータを用いて食品添加物表示及び原価計算をする方法であって、
メニュー名と、該メニューに使用する原材料名と、該使用する原材料の使用量と、該メニューの予定売価と、該メニューの値入率と、を該コンピュータに入力し、
該コンピュータが、
原材料名と、該原材料の原価と、該原材料に含まれる食品添加物名と、を含む原材料情報を記憶し、
食品添加物の正式名称と、該食品添加物の正式名称に対応する別名、簡略名、類別名と、前記正式名称、前記別名、前記簡略名、前記類別名のいずれかから選定された選定名と、を含む添加物情報を記憶し、
入力したメニューの予定売価及び値入率から算出したメニューの予定原価と、入力したメニューに使用する原材料名を原材料情報記憶手段に照合し、原材料の原価を読み込み、メニューの予定原価と原材料の原価とから算出した差額を表示し、
入力したメニューに使用する原材料に含まれる食品添加物を前記原材料情報記憶手段から読み込み、読み込まれた食品添加物名を前記添加物情報と照合し、食品添加物を選定名に書き換えて選定名情報として記憶し、
入力したメニューにおける食品添加物の選定名が重複するものを一つに集約した添加物集約情報を記憶し、
添加物集約情報から読み込み、入力したメニューに含まれる食品添加物の選定名を表示する、
ことを実行する食品添加物表示及び原価計算方法。
【手続補正２】
【補正対象書類名】明細書
【補正対象項目名】０００９
【補正方法】変更
【補正の内容】
【０００９】
また、本発明の一実施形態の食品添加物表示及び原価計算方法は、コンピュータを用いて食品添加物表示及び原価計算をする方法であって、メニュー名と、該メニューに使用する原材料名と、該使用する原材料の使用量と、該メニューの予定売価と、該メニューの値入率と、を該コンピュータに入力し、該コンピュータが、原材料名と、該原材料の原価と、該原材料に含まれる食品添加物名と、を含む原材料情報を記憶し、食品添加物の正式名称と、該食品添加物の正式名称に対応する別名、簡略名、類別名と、前記正式名称、前記別名、前記簡略名、前記類別名のいずれかから選定された選定名と、を含む添加物情報を記憶し、入力したメニューの予定売価及び値入率から算出したメニューの予定原価と、入力したメニューに使用する原材料名を原材料情報記憶手段に照合し、原材料の原価を読み込み、メニューの予定原価と原材料の原価とから算出した差額を表示し、入力したメニューに使用する原材料に含まれる食品添加物を前記原材料情報記憶手段から読み込み、読み込まれた食品添加物名を前記添加物情報と照合し、食品添加物名を選定名に書き換えて選定名情報として記憶し、入力したメニューにおける食品添加物の選定名が重複するものを一つに集約した添加物集約情報を記憶し、添加物集約情報から読み込み、入力したメニューに含まれる食品添加物の選定名を表示する、ことを実行することを特徴とする。